(57)【要約】【課題】櫛を把持する指の負担を軽減すると共に、櫛を把持する指へのグリップ力を高める。【解決手段】櫛（１）は、一端縁櫛部（３）及び他端縁櫛部（４）の幅方向の両方の外周縁に、湾曲形状の第１、２凹部をそれぞれ形成し、複数の櫛歯（６）の幅方向の両方の外周縁にも、湾曲形状の第１、２櫛歯凹部を形成する。一端縁櫛部（３）又は他端縁櫛部（４）のいずれか主に指で把持すると、指が一端縁櫛部（３）又は他端縁櫛部（４）の第１又は第２凹部に収まると共に、その近傍の各櫛歯（６）の第１又は第２櫛歯凹部に収まる。各凹部は湾曲形状であるため、指とは面接触になり、指に係る把持力が分散され、指への負担が軽減されると共に、各凹部に指が収まることで、グリップ力も高まる。
2017098664.tif 000002
【特許請求の範囲】
【請求項１】
櫛本体と、前記櫛本体の長手方向の両端にそれぞれ設けられた縁櫛部と、前記両端の縁櫛部の間で前記櫛本体から突出した複数本の櫛歯とを備える櫛において、  前記複数本の櫛歯の中の少なくとも一部の範囲に含まれる隣接する各櫛歯には、櫛歯の幅方向の少なくとも一方側の外周縁における先端側と根元側との間の中間箇所に、凹状曲線に基づいた湾曲形状の櫛歯凹部が形成してあり、  前記櫛歯凹部が形成された櫛歯の中間箇所における最も幅が狭い箇所の寸法は、前記櫛歯の先端側における最も幅が広い箇所に比べて小さくしてあることを特徴とする櫛。
【請求項２】
櫛本体と、前記櫛本体の長手方向の両端にそれぞれ設けられた縁櫛部と、前記両端の縁櫛部の間で前記櫛本体から突出した複数本の櫛歯とを備える櫛において、  前記両端の縁櫛部の少なくとも一方には、前記縁櫛部の幅方向の少なくとも一方側の外周縁における先端側と根元側との間の中間箇所に、凹状曲線に基づいた湾曲形状の凹部が形成してあり、  前記凹部が形成された縁櫛歯の中間箇所における最も幅が狭い箇所の寸法は、前記縁櫛部の先端側における最も幅が広い箇所に比べて小さくしてあり、  前記複数本の櫛歯の中で、少なくとも前記凹部を形成した縁櫛部の側に設けられた範囲に含まれる各櫛歯のそれぞれには、櫛歯の幅方向で前記縁櫛部の凹部と対応する箇所に、凹状曲線に基づいた湾曲形状の櫛歯凹部が形成してあり、  前記櫛歯凹部が形成された櫛歯の中間箇所における最も幅が狭い箇所の寸法は、前記櫛歯の先端側における最も幅が広い箇所に比べて小さくしてあり、  前記凹部及び前記櫛歯凹部は、前記櫛本体の長手方向に沿った方向で連通するようにしてあることを特徴とする櫛。
【請求項３】
前記凹部及び前記櫛歯凹部は、同曲率の凹状曲線に基づいた同湾曲形状にしてある請求項２に記載の櫛。
【請求項４】
前記縁櫛部における前記凹部より先端側となる箇所には、前記縁櫛部の幅方向に貫通する先端貫通孔が形成してある請求項２又は請求項３に記載の櫛。
【請求項５】
前記縁櫛部の凹部は、前記縁櫛部の幅方向における一方側及び他方側の両方の外周縁に形成してある請求項２乃至請求項４のいずれか１項に記載の櫛。
【請求項６】
前記両端の縁櫛部の両方に前記凹部が形成してある請求項２乃至請求項５のいずれか１項に記載の櫛。
【請求項７】
前記縁櫛部における前記凹部と根元側が連なる箇所には、エッジが形成してある請求項２乃至請求項６のいずれか１項に記載の櫛。
【請求項８】
前記縁櫛部における前記凹部と先端側が連なる箇所には、エッジが形成してある請求項２乃至請求項７のいずれか１項に記載の櫛。
【請求項９】
前記櫛歯における前記櫛歯凹部と根元側が連なる箇所には、エッジが形成してある請求項１乃至請求項８のいずれか１項に記載の櫛。
【請求項１０】
前記櫛歯における前記櫛歯凹部と先端側が連なる箇所には、エッジが形成してある請求項１乃至請求項９のいずれか１項に記載の櫛。
【請求項１１】
前記櫛歯に比べて全長が短い短櫛歯を、前記両端の縁櫛部の一方と隣接するように前記櫛本体に設けてあり、  前記櫛歯凹部は、前記短櫛歯を除いた複数の隣接する櫛歯に形成してある請求項１乃至請求項１０のいずれか１項に記載の櫛。
【発明の詳細な説明】
【技術分野】
【０００１】  本発明は、櫛本体に設けられた縁櫛部又は櫛歯に、湾曲した凹みを形成することで、櫛を把持しやすくすると共に、整髪作業等の際に掬い上げた頭髪束を滑り落ちにくくした櫛に関する。
【背景技術】
【０００２】  従来、整髪等に用いられる櫛は、棒状の櫛本体の両端から縁櫛部を突設させると共に（櫛本体の長手方向における一方の端側に設けた一端縁櫛部、他方の端側に設けた他端縁櫛部）、両端に設けられた縁櫛部の間に、複数の櫛歯を設けた構成になっていることが一般的である。【０００３】  下記の特許文献１は、従来の櫛の例を示し、櫛歯の幅方向を正面にした状態の櫛歯の形状が、くさび形の先細形状であり、両側の外周縁（両側の縦方向の線が示す外周縁）を、真っ直ぐな斜線で形成したことを表しており（特許文献１の図２参照）、また、櫛縁部の幅方向を正面にした状態における縁櫛部の形状も先細形状であり、両側の外周縁を、真っ直ぐな斜線で形成したことを表している（特許文献１の図１７（Ｂ）参照）。さらに、この特許文献１は、縁櫛部（特許文献１の先端部２ａ又は基部２ｂに相当）について、幅方向に貫通する貫通孔が形成されていることも示す（特許文献１の図１、５、６等参照）。なお、櫛の形状的なタイプとしては一般的に、把持部（テール部）を有するタイプ（例えば、特許文献１の図７、８、１０、１１，１３、１４、１７、１８等に示すタイプ）と、把持部を有しないタイプ（例えば、特許文献１の図１、５、１５等に示すタイプ）に大別できる。【０００４】  また、下記の特許文献２では、櫛歯において、幅方向の一方側（櫛の正面側）の外周縁に、切り欠き部（６）又は中央凹陥部（７）を形成したものが開示される（特許文献２の第１〜４図参照）。同様に下記の特許文献３でも、櫛歯において、幅方向の一方側（櫛の正面側）又は両方側（櫛の正面及び背面側）の外周縁（外側面）に、ギザギザの円弧状に切り欠いた溝３ｂを形成したものが開示される（特許文献３の図７、８及び段落００１６参照）。さらに、下記の特許文献４には、櫛付キャップに設けられた櫛歯において、幅方向の一方側の外周縁に欠部３４を形成したものが開示される（特許文献４の図７、段落０００５の記載参照）。【０００５】  なお、下記の特許文献４には、屈曲傾斜した櫛歯を設けたパーマネント用リングコームが開示される。また、下記の特許文献５には、持ち手にフィットし、滑りにくくするために、ブラシ台部の側面に指が掛かる程度のくぼみ部（指保持部）を形成した毛染め用ブラシが開示される。
【先行技術文献】
【特許文献】
【０００６】
【特許文献１】実開平６−６６５０４号公報
【特許文献２】実開昭６２−３９６０４号公報
【特許文献３】特開平１０−２７６８３０号公報
【特許文献４】特開平５−２２００１１号公報
【特許文献５】登録実用新案第３０８５８３３号公報
【発明の概要】
【発明が解決しようとする課題】
【０００７】  櫛の職業的ユーザである美容師・理容師は、作業内容に応じて様々な櫛の持ち方を使い分けている。櫛の持ち方の例としては、櫛歯に指が当たるような持ち方、又は縁櫛部及び、その縁櫛部の近くの範囲に位置する櫛歯の両方に指（例えば、親指）が当たるような持ち方等が行われることがある。しかし、このような持ち方がされると、櫛歯及び縁櫛部は上述したように、外周縁は真っ直ぐな（直線的な）形状であり、一方、上記の持ち方でユーザが櫛側に触れる指の箇所は湾曲した形状であることから、櫛側とユーザの指側の接触状態は、点接触になる。【０００８】  職業的ユーザである美容師・理容師は、水、整髪料等が指に付着した状態で、櫛を用いた作業を行うことがあり、指に水、整髪料等が付着していると、指の表面が滑りやすくなっており、このような状態で、上述した点接触のような櫛の持ち方が行われると、櫛を持つのに適したグリップ力が得られにくいという問題が生じる。【０００９】  また、粘度の高いローションを用いて、櫛で頭髪をセットすることもあり（例えば、美容師の国家試験の課題にもなっている「フィンガーウェーブ」というセットの仕方）、このような粘度の高いローション等を用いたセットを行う場合、櫛を支持する指に、かなりの力を入れることが要求される。しかし、ユーザの指と、櫛との接触状態は上述したように点接触であるため、指の接触箇所に力が集中し、指の接触箇所の負担が大きいという問題がある。しかも、指の接触箇所にローション等が付着していると、その箇所の皮膚がふやけた状態になっていることもあり、このように指の皮膚がふやけた状態で、上述した指への負担が大きい作業を行うと、櫛を支持する力の集中する指の箇所の皮膚がめくれたりする等、指の皮膚を傷つけてしまうおそれも生じる。【００１０】  さらに、櫛を用いた作業としては、カット対象となる頭髪束を櫛で掬い上げるなどの作業を行うこともあり、このような作業を行う場合、上述したように、櫛歯及び縁櫛部は、くさび形の先細形状であるため、折角、掬い上げた頭髪束が、櫛歯及び縁櫛部の先端側より滑り落ちやすいという問題がある。さらにまた、櫛を用いた別の作業例としては、頭髪の中に櫛を差し込んだり、頭髪の中で櫛を移動させたりして、頭髪を所要方向へ分ける作業（パーティング作業）を行うこともあり、このような作業を行う場合において、縁櫛部は、櫛歯より厚みが大きいため、頭髪との接触による抵抗が大きいので、縁櫛部を頭髪の中へ差し込んだり、移動させたりする作業をスムーズに行いにくいという問題もある。【００１１】  なお、上述した問題において、上記の特許文献２に係る櫛歯は、切り欠き部（６）又は中央凹陥部（７）の底面がフラットな形状であるため、これら切り欠き部（６）又は中央凹陥部（７）に指を収めると、フラットな底面と点接触するだけなので、櫛を把持するのに適したグリップ力も得られず、また、指の接触箇所の負担を低減することもできない。また、上記の特許文献３に係る櫛は、櫛歯に切り欠いた溝３ｂがギザギザの円弧状であるため、このような溝３ｂに指を収めると、ギザギザの尖った箇所が指に食い込むので、指の負担が増すことになる。【００１２】  また、特許文献４に係るパーマネント用リングコームは、特許文献４の図５で示される使用例を参照すれば、図示される指の太さが、櫛歯の長さ寸法と同等以上であることから、指で櫛歯又は縁櫛部を把持するような持ち方を行えば、櫛歯の先端までを指で、ほぼ覆うことになり、櫛として機能させられないことから、このような持ち方を特許文献４に係るパーマネント用リングコームに用いることは想定できない。さらにまた、特許文献５に係る毛染め用ブラシは、櫛本体に相当するブラシ台部にくぼみ部を形成したものなので、櫛歯又は縁櫛部で櫛を支持する持ち方については、何ら貢献し得ない。そして、特許文献１に係る櫛は、縁櫛部に相当する先端部２ａ又は基部２ｂに貫通孔が形成されるが、貫通孔の形成箇所が、先端箇所でないため、これらの貫通孔は、縁櫛部の先端箇所における頭髪との接触に何ら関係しない。【００１３】  本発明は、斯かる事情に鑑みてなされたものであり、指に馴染むような湾曲した凹部（櫛歯凹部）を、櫛歯又は縁櫛部に形成することで、櫛を支持する指に適度なグリップ感を得られると共に、指への負担も低減できるようにした櫛を提供することを目的とする。【００１４】  また、本発明は、新たに形成した凹部（櫛歯凹部）が根元側と繋がる箇所にエッジを形成することで、更にグリップ性も高めた櫛を提供することを目的とする。  さらに、本発明は、新たに形成した凹部（櫛歯凹部）が先端側と繋がる箇所にエッジを形成することで、櫛で頭髪束を掬い上げる際、掬い上げた頭髪束が滑り落ちにくくした櫛を提供することを目的とする。  さらにまた、本発明は、縁櫛部の先端箇所に貫通孔を形成することで、櫛を頭髪の中に差し込んだり、又は頭髪の中で櫛を移動させる際、縁櫛部の先端箇所にかかる抵抗を緩和できるようにした櫛を提供することを目的とする。
【課題を解決するための手段】
【００１５】  上記課題を解決するために本発明に係る櫛は、櫛本体と、前記櫛本体の長手方向の両端にそれぞれ設けられた縁櫛部と、前記両端の縁櫛部の間で前記櫛本体から突出した複数本の櫛歯とを備える櫛において、前記複数本の櫛歯の中の少なくとも一部の範囲に含まれる隣接する各櫛歯には、櫛歯の幅方向の少なくとも一方側の外周縁における先端側と根元側との間の中間箇所に、凹状曲線に基づいた湾曲形状の櫛歯凹部が形成してあり、前記櫛歯凹部が形成された櫛歯の中間箇所における最も幅が狭い箇所の寸法は、前記櫛歯の先端側における最も幅が広い箇所に比べて小さくしてあることを特徴とする。【００１６】  本発明にあっては、一部の範囲に含まれる隣接する各櫛歯の中間箇所に、凹状曲線に基づいた全体が湾曲形状の櫛歯凹部が形成したので、指で櫛歯を支持する持ち方を行った場合、隣接する櫛歯の各櫛歯凹部に指が収まり、また、櫛歯凹部は全体が湾曲形状であることから、各櫛歯凹部に収まった指は、点接触ではなく、広い範囲で櫛側と接触するようになる。このような広い範囲で接触して櫛歯凹部に指が収まることで、櫛を支持する指に適度なグリップ感が得られるようになると共に、指にかかる力が広い接触箇所へ分散され、指への負担が低減されるようになる。また、カット対象となる頭髪束を掬い上げるなどの作業を櫛で行う場合も、掬い上げた頭髪束は、櫛歯凹部に収まるようになって、櫛歯の先端側から滑り落ちにくくなる。【００１７】  また、本発明に係る櫛は、櫛本体と、前記櫛本体の長手方向の両端にそれぞれ設けられた縁櫛部と、前記両端の縁櫛部の間で前記櫛本体から突出した複数本の櫛歯とを備える櫛において、前記両端の縁櫛部の少なくとも一方には、前記縁櫛部の幅方向の少なくとも一方側の外周縁における先端側と根元側との間の中間箇所に、凹状曲線に基づいた湾曲形状の凹部が形成してあり、前記凹部が形成された縁櫛歯の中間箇所における最も幅が狭い箇所の寸法は、前記縁櫛部の先端側における最も幅が広い箇所に比べて小さくしてあり、前記複数本の櫛歯の中で、少なくとも前記凹部を形成した縁櫛部の側に設けられた範囲に含まれる各櫛歯のそれぞれには、櫛歯の幅方向で前記縁櫛部の凹部と対応する箇所に、凹状曲線に基づいた湾曲形状の櫛歯凹部が形成してあり、前記櫛歯凹部が形成された櫛歯の中間箇所における最も幅が狭い箇所の寸法は、前記櫛歯の先端側における最も幅が広い箇所に比べて小さくしてあり、前記凹部及び前記櫛歯凹部は、前記櫛本体の長手方向に沿った方向で連通するようにしてあることを特徴とする。【００１８】  本発明にあっては、櫛本体の両側の縁櫛部の少なくとも一方に凹部を形成すると共に、凹部を形成した縁櫛部の側に設けられた範囲に属する各櫛歯のそれぞれには櫛歯凹部を形成し、縁櫛部の凹部と、各櫛歯の櫛歯凹部が連通するようにしたので、縁櫛部と、その縁櫛部の近くの範囲に位置する櫛歯に、指が触れるような持ち方をすると、凹部及び櫛歯凹部に、指が収まるようになる。そして、これら凹部及び櫛歯凹部は、それぞれの全体が湾曲形状であることから、指と広範囲に接触しやすくなり、適度なグリップ力が得られるようになると共に、指への接触箇所に係る力が広範囲に分散され、指の負担���低減できるようになる。【００１９】  また、カット対象となる頭髪束を掬い上げるなどの作業を櫛で行う場合も、掬い上げた頭髪束が、凹部及び櫛歯凹部に収まるようになるので、櫛歯及び縁櫛部の先端側より滑り落ちにくくなる。なお、櫛縁部の凹部における最も幅が狭い箇所の寸法は、前記縁櫛部の先端側における最も幅が広い箇所に比べて小さくしてあり、櫛歯の櫛歯凹部における最も幅が狭い箇所の寸法は、前記櫛歯の先端側における最も幅が広い箇所に比べて小さくしてあるので、凹部及び櫛歯凹部とも、上述した作用を生じさせるのに十分な範囲寸法及び深さ寸法を確保できるようになる。【００２０】  本発明に係る櫛は、前記縁櫛部の凹部が、幅方向における一方側及び他方側の両方の外周縁に形成してあることを特徴とする。  本発明にあっては、縁櫛部の凹部が、幅方向における両方の外周縁に形成してあるので、凹部と対応する箇所に形成される櫛歯の櫛歯凹部も幅方向における両側に設けられることになり、櫛の正面側又は背面側のいずれの側から櫛を把持しても、凹部及び櫛歯凹部に指が収まるようになり、櫛の把持性を高められる。また、同様な理由により、櫛の正面側又は背面側のいずれの側で、カット対象となる頭髪束を掬い上げるなどの作業を行っても、掬い上げた頭髪束が、凹部及び櫛歯凹部に収まるようになるので、櫛の使い勝手が向上する。【００２１】  本発明に係る櫛は、前記両端の縁櫛部の両方に前記凹部が形成してあることを特徴とする。  本発明にあっては、櫛本体の両端に設けられた縁櫛部の両方に凹部を形成したので、櫛本体の両端のいずれの方から櫛を把持しても、凹部及び櫛歯凹部に親指が収まるようになり、一段と櫛の把持性を高められる。また、同様な理由により、櫛本体の両端のいずれの方から、カット対象となる頭髪束を掬い上げるなどの作業を行っても、掬い上げた頭髪束が、凹部及び櫛歯凹部に収まるようになるので、櫛の使い勝手が一段と向上する。【００２２】  本発明に係る櫛は、前記櫛歯に比べて全長が短い短櫛歯を、前記両端の縁櫛部の一方と隣接するように前記櫛本体に設けてあり、前記櫛歯凹部は、前記短櫛歯を除いた複数の隣接する櫛歯に形成してあることを特徴とする。  本発明にあっては、一方の縁櫛部と隣接するように短櫛歯を設けたので、凹部及び櫛歯凹部を設けても、一方の縁櫛部で、髪の分け目を形成する作業（パーティング作業）を行うことができ、また、複数の隣接する櫛歯に櫛歯凹部を形成したので、多量の頭髪束を掬い上げるなどの作業も対応しやすくなり、櫛を用いた作業の効率性を高められる。【００２３】  本発明に係る櫛は、前記縁櫛部における前記凹部と根元側が連なる箇所に、エッジが形成してあることを特徴とする。  本発明にあっては、縁櫛部における凹部と根元側が連なる箇所にエッジを形成したので、凹部に納めた指が、エッジに引っかかるようになり、櫛を持つ指のグリップ性が一段と高まり、櫛を持つ指の滑り止めとしてエッジを用いることができる。【００２４】  本発明に係る櫛は、前記櫛歯における前記櫛歯凹部と根元側が連なる箇所に、エッジが形成してあることを特徴とする。  本発明にあっては、櫛歯における櫛歯凹部と根元側が連なる箇所にもエッジを形成したので、櫛歯凹部に納めた指が、各櫛歯のエッジに引っかかるようになり、櫛を持つ指のグリップ性が一段と高まり、櫛を持つ指の滑り止め機能を更に向上できる。【００２５】  本発明に係る櫛は、前記縁櫛部における前記凹部と先端側が連なる箇所に、エッジが形成してあることを特徴とする。  本発明にあっては、縁櫛部における凹部と先端側が連なる箇所にエッジを形成したので、櫛の掬い上げにより、凹部に収まった頭髪束がエッジに引っかかるようになり、掬い上げられた頭髪束が、一段と櫛歯及び縁櫛部より滑り落ちにくくなる。【００２６】  本発明に係る櫛は、前記櫛歯における前記櫛歯凹部と先端側が連なる箇所に、エッジが形成してあることを特徴とする。  本発明にあっては、櫛歯における櫛歯凹部と先端側が連なる箇所にもエッジを形成したので、櫛での掬い上げにより、櫛歯凹部に収まった頭髪束が各櫛歯のエッジにも引っかかることになり、掬い上げられた頭髪束が、更に一段と櫛歯及び縁櫛部より滑り落ちにくくなる。【００２７】  本発明に係る櫛は、前記凹部及び前記櫛歯凹部は、同曲率の凹状曲線に基づいた同湾曲形状にしてあることを特徴とする。  本発明にあっては、凹部及び櫛歯凹部を同曲率の凹状曲線に基づいた同湾曲形状にしたので、凹部及び櫛歯凹部は、同形状でなだらかに連続的に連なるようになり、凹部及び櫛歯凹部に収まる指の接触感（フィーリング）が向上すると共に、櫛での掬い上げた頭髪束がスムーズに凹部及び櫛歯凹部に収まりやすくなり、櫛の作業性が向上する。【００２８】  本発明に係る櫛は、前記縁櫛部における前記凹部より先端側となる箇所に、幅方向へ貫通する先端貫通孔が形成してあることを特徴とする。  本発明にあっては、縁櫛部における凹部より先端側となる箇所に、幅方向に貫通する先端貫通孔を形成したので、櫛歯より厚みが大きい縁櫛部は、従来であれば、頭髪の中に櫛の先端を差し込んだり、頭髪の中で櫛を移動させたりする場合などにおいて、縁櫛部は、櫛歯より厚みが大きいため、頭髪との接触により抵抗となっていたが、縁櫛部の先端側に先端貫通孔を形成することで、先端貫通孔の形成が開口して箇所頭髪との接触範囲が減少し、縁櫛部の先端を頭髪に対して動かしやすくなり、また、縁櫛部の凹部及び櫛歯の櫛歯凹部によっても、頭髪との接触状況が緩和されるので、頭髪の中へ櫛の先端を差し込んだり、頭髪の中で櫛を移動させたりする作業が、従来の櫛より行いやすくなる。
【発明の効果】
【００２９】  本発明にあっては、一部の範囲に含まれる隣接する各櫛歯の中間箇所に、凹状曲線に基づいた全体が湾曲形状の櫛歯凹部が形成したので、各櫛歯凹部に収めた指を広い範囲で櫛側と接触でき、櫛を支持する指に適度なグリップ感が得られると共に、指にかかる力を広い接触箇所へ分散して、指の負担を低減できる。  また、本発明にあっては、櫛歯の櫛歯凹部に加えて、縁櫛部にも凹部を形成するので、櫛の正面側又は背面側のいずれの側から櫛を把持しても、凹部及び櫛歯凹部に親指を収めることでき、櫛の方向性を気にすることなく櫛の把持性を高めると共に、櫛を支持する指の負担を低減でき、また、櫛の方向性を気にすることなく、カット対象となる頭髪束を掬い上げるなどの作業を行っても、掬い上げた頭髪束が凹部及び櫛歯凹部に収まり、櫛の使い勝手を向上できる。【００３０】  本発明にあっては、凹部及び櫛歯凹部を同曲率の凹状曲線に基づいた同湾曲形状にしたので、凹部及び櫛歯凹部は、同形状でなだらかに連続的に連なり、凹部及び櫛歯凹部に収まる指の接触感（フィーリング）を向上できると共に、櫛での掬い上げた頭髪束がスムーズに凹部及び櫛歯凹部に収まり、櫛を用いた頭髪束の掬い上げ作業を効率的に行える。  本発明にあっては、櫛本体の両端に設けられた縁櫛部の両方に凹部を形成したので、櫛本体の長手方向のいずれの側から櫛を把持しても、凹部及び櫛歯凹部に親指を収めることができ、一段と櫛の把持性を高めることができ、また、同様な理由により、櫛本体の長手方向のいずれの側を主にして、カット対象となる頭髪束を掬い上げるなどの作業を行っても、掬い上げた頭髪束を凹部及び櫛歯凹部に収めることができ、櫛の使い勝手を一段と向上できる。【００３１】  本発明にあっては、一方の縁櫛部と隣接するように短櫛歯を設けたので、凹部及び櫛歯凹部を設けても、一方の縁櫛部で、髪の分け目を形成する作業（パーティング作業）を行うことができ、また、全域にわたって櫛歯凹部を形成したので、大量の頭髪束を掬い上げるなどの作業も対応しやすくなり、櫛を用いた作業の効率性を高められる。【００３２】  本発明にあっては、縁櫛部における凹部と根元側が連なる箇所にエッジを形成したので、凹部及び櫛歯凹部に納めた指がエッジに引っかかり、櫛を持つ指のグリップ性を向上でき、エッジを滑り止めとして機能させることができる。  本発明にあっては、櫛歯における櫛歯凹部と根元側が連なる箇所にもエッジを形成したので、凹部及び櫛歯凹部に収めた指が各櫛歯のエッジに引っかかり、櫛を持つ指のグリップ性を一段と高めることができ、櫛を持つ指に対する滑り止め機能を更に向上できる。【００３３】  本発明にあっては、縁櫛部における凹部と先端側が連なる箇所にエッジを形成したので、櫛の掬い上げにより、凹部及び櫛歯凹部に収まった頭髪束がエッジに引っかかり、掬い上げられた頭髪束が櫛歯及び縁櫛部より滑り落ちることを抑止できる。  本発明にあっては、櫛歯における櫛歯凹部と先端側が連なる箇所にもエッジを形成したので、櫛での掬い上げにより、凹部及び櫛歯凹部に収まった頭髪束が各櫛歯のエッジにも引っかかり、掬い上げられた頭髪束が櫛歯及び縁櫛部より滑り落ちることに対する抑止力を一段と高められる。【００３４】  本発明にあっては、縁櫛部における凹部より先端側となる箇所に、幅方向に貫通する先端貫通孔を形成したので、縁櫛部の先端箇所における頭髪との接触範囲を減少でき、頭髪の中に櫛の先端を差し込んだり、頭髪の中で櫛を移動させたりする作業を、従来より容易且つスムーズに行える。
【図面の簡単な説明】
【００３５】
【図１】本発明の第１実施形態に係る櫛を示す概略斜視図である。
【図２】（ａ）は櫛の長手方向の一端側の詳細を示す正面図、（ｂ）は一端縁櫛部を一端外縁面から見た側面図である。
【図３】（ａ）は、図２（ａ）のＡ−Ａ線における短櫛歯を示す一部断面図であり、（ｂ）は、図２（ａ）のＢ−Ｂ線における櫛歯を示す一部断面図である。
【図４】（ａ）は櫛の長手方向の他端側の詳細を示す正面図、（ｂ）は他端縁櫛部を他端外縁面から見た側面図である。
【図５】他端縁櫛部と、その近くに位置する櫛歯に、親指が触れるような持ち方で櫛を把持した状態を示す要部斜視図である。
【図６】図５に示す把持状態における親指の位置を示し、（ａ）は親指が他端縁櫛部の凹部に収まった状態を示す側面図、（ｂ）は図５のＣ−Ｃ線において親指が櫛歯の櫛歯凹部に収まった状態を示す一部断面図である。
【図７】（ａ）は、第１実施形態に係る櫛をフィンガーウェーブの整髪の仕方に応じた把持の状態を示す正面図、（ｂ）はフィンガーウェーブの整髪の仕方に応じた小指による支持状態を示す一部断面図である。
【図８】（ａ）は櫛で頭髪束を掬い上げる作業の概要を示す概略図、（ｂ）は掬い上げた頭髪束が凹部に収まった状態を示す一端縁櫛部の概略側面図、（ｃ）は掬い上げた頭髪束が櫛歯凹部に収まった状態を示す櫛歯の概略図である。
【図９】頭髪の中に櫛を差し込んだときの図２（ａ）のＤ−Ｄ線における一端縁櫛部と頭髪との接触状態を示す概略断面図である。
【図１０】複数の櫛歯の範囲を示す第１実施形態に係る櫛の正面図である。
【図１１】第１実施形態の変形例であり、（ａ）は変形例に係る櫛の一端縁櫛部を一端外縁面から見た側面図、（ｂ）は変形例に係る櫛の櫛歯を示す一部断面図である。
【図１２】（ａ）は、別の変形例に係る櫛の一端縁櫛部を一端外縁面から見た側面図、（ｂ）は、別の変形例に係る櫛の櫛歯を示す一部断面図である。
【図１３】（ａ）は、更に別の変形例に係る櫛の一端縁櫛部を一端外縁面から見た側面図であり、（ｂ）は、更に別の変形例に係る櫛の櫛歯を示す一部断面図である。
【図１４】（ａ）は、更に別の変形例に係る櫛の一端縁櫛部を一端外縁面から見た側面図であり、（ｂ）は、更に別の変形例に係る櫛の櫛歯を示す一部断面図である。
【図１５】（ａ）は、本発明の第２実施形態に係る櫛の正面図であり、（２）は第２実施形態の変形例に係る櫛の正面図である。
【発明を実施するための形態】
【実施例１】
【００３６】  図１は、本発明の第１実施形態に係る櫛１の全体を概略的に示す斜視図である。本発明の櫛１は合成樹脂製であり、延出した棒状の櫛本体２の長手方向における両端（一端側２ａ及び他端側２ｂ）に、縁櫛部（一端縁櫛部３及び他端縁櫛部４）を突出すると共に、一端縁櫛部３及び他端縁櫛部４の間で複数本の櫛歯６を櫛本体２から突出した構成になっている。なお、図１中に示すＸ軸方向は櫛１（櫛本体２）の長手方向に沿った方向であり、Ｘ軸方向に直交するＹ軸方向は櫛歯６及び各縁櫛部３、４の突出方向に沿った方向であり、Ｘ軸方向及びＹ軸方向に直交するＺ軸方向は櫛１（櫛本体２）、各縁櫛部３、４、及び各櫛歯６の幅方向に沿った方向である（他の図でも同様）。以下、櫛１について詳しく説明していく。【００３７】  図１、図２（ａ）、及び図４（ａ）等に示すように、櫛本体２は、正面に相当する第１面２ｃから反対側の背面に相当する第２面２ｄへとＺ軸方向に沿って貫通する貫通孔７を複数形成しており、これら複数の貫通孔７は基本的に、Ｘ軸方向に沿って直線状に所定の間隔をあけて配置されている。貫通孔７は、Ｘ軸方向に横長の楕円であり、その楕円の周囲には、楕円形状のザグリ部７ａを形成している（図３（ｂ）も参照）。なお、第１実施形態においては、貫通孔７の長軸側の内径と短軸側の内径の比を２対１にしており、一例としては長軸側の内径を約４ｍｍ（ミリメートル）、短軸側の内径を約２ｍｍに設定している（なお、ザグリ部７ａについては例えば、長軸側の内径を約９ｍｍ、短軸側の内径を約３ｍｍに設定することが想定できる）。【００３８】  図２（ａ）に示すように、櫛本体２の最も一端側２ａに位置する貫通孔７は、その中心が、櫛本体２の一端側２ａに設けられた一端縁櫛部３の外縁（一端縁櫛部３の外縁の面となる一端外縁面３ｄの根元側３ｂの範囲の箇所）から距離Ｌとなる位置に形成されており、一端側２ａからの順序が２番目以降となる貫通孔７は、各貫通孔７の中心同士の間隔が、それぞれ距離Ｌとなる位置に形成されている。距離Ｌの具体例としては、櫛１の仕向け、仕様等に応じて、ミリメートル単位、又はインチ単位のいずれに寸法に設定してもよく、例えば、ミリメートル単位の寸法を用いる場合は最も標準的な寸法である１０ｍｍ等に設定することが好適であり、インチ単位の寸法を用いる場合は１インチ（ｉｎｃｈ）又は０．５インチ等に設定するのが好適である。このような間隔で形成された複数の貫通孔７は、所定の寸法を距離Ｌごとに示す目印（櫛本体２の長手方向に沿った距離を示す目印）として利用できる。【００３９】  また、図４（ａ）に示すように、櫛本体２の他端側２ｂにおいても、櫛本体２の他端側２ｂに設けられた他端縁櫛部４の外縁（他端縁櫛部４の外縁の面となる他端外縁面４ｄの根元側４ｂの範囲の箇所）から、上述した一端側２ａと同様な間隔（距離Ｌ）で複数の貫通孔７が形成されている。なお、櫛本体２の長手方向２の中央部分２ｅ（図１参照）は、櫛１の作業を行う側を、一端側２ａと他端側２ｂとに切り替える際の把持箇所として機能させるために、貫通孔７を形成していない（櫛本体２の中央部分２ｅをつまむように把持した箇所を中心に回転させて、櫛の作業を用いる側を一端側２���又は他端側２ｂに切り替える）。【００４０】  図１等で示すように、櫛１は、複数本の櫛歯６を一端縁櫛部３及び他端縁櫛部４と平行となるように櫛本体２に設けており、これら櫛歯６に関し、櫛本体２の長手方向において、櫛本体２の中央部分２ｅの真ん中より一端側２ａへ至る第１範囲１ａ（一端縁櫛部３の側の範囲）と、中央部分２ｅの真ん中より他端側２ｂへ至る第２範囲１ｂ（他端縁櫛部４の側の範囲）とにおいて、各櫛歯６を設ける間隔（櫛歯ピッチ）を相違させており、第１範囲１ａにおける櫛歯ピッチを、第２範囲１ｂにおける櫛歯ピッチより広くしている（第１範囲１ａにおける櫛歯ピッチの一例としては約３ｍｍ、第２範囲１ｂにおける櫛歯ピッチの一例としては約１．５ｍｍが想定できる）。【００４１】  このように第１範囲１ａと、第２範囲１ｂとで櫛歯ピッチを相違させることで、異なった種類の整髪作業を一本の櫛１で行うことができ、例えば、第１範囲１ａ側ではラフな整髪作業を行い、第２範囲１ｂでは細やかな整髪作業を行うことが可能となり、それゆえ、上述したように、櫛の作業を用いる側を一端側２ａ又は他端側２ｂに切り替える意義がある。なお、第１範囲１ａに含まれる櫛歯６と、第２範囲１ｂに含まれる櫛歯６では、厚み寸法（Ｘ軸方向に沿った櫛歯の寸法）を相違させており、第１範囲１ａに含まれる櫛歯６の厚み寸法は約１ｍｍ強、一方、第２範囲１ｂに含まれる櫛歯６の厚み寸法は約０．６〜０．８ｍｍ程度にしている。【００４２】  また、櫛１は、複数本の櫛歯６の中で、第１範囲１ａにおける一端縁櫛部３に隣接する箇所に、他の通常長さの櫛歯６に比べて、突出寸法（Ｙ軸方向の全長）が短い短櫛歯６′を設けており、それにより、一端縁櫛部３で髪の分け目を形成する作業（パーティング作業）を行う際に、一端縁櫛部３の先端３ｖ（図２（ｂ）参照）の周囲に空間が生じるようにして、パーティング作業を行いやすくしている。なお、短櫛歯６′の厚み寸法は、約１ｍｍ強にしている。【００４３】  図１及び図２（ａ）（ｂ）に示すように、一端縁櫛部３は、先を細く尖らした先細形状であり、櫛本体２に対して直交する方向（Ｙ軸方向に沿った方向）へ櫛本体２の一端側２ａより突出し、櫛歯６を囲って保護している。一端縁櫛部３は、正面方向からの視図である図２（ａ）において、Ｙ軸方向に沿った方向で、先細形状の先端３ｖを有する先端側３ａの範囲と、櫛本体２と連なる根元側３ｂの範囲と、これら先端側３ａ及び根元側３ｂの間となる中間箇所３ｃの範囲に区分けすることができる。これらの範囲の比率は、設計仕様により様々に設定可能であるが、一端遠端部３のＹ軸方向に沿った全長を「１」とした場合、先端側３ａ及び根元側をそれぞれ「約０．３」、中間箇所３ｃを「約０．４」として、中間箇所３ｃを他の二つの範囲より少し広めにして、図２（ａ）に示す一端窪み部３ｅと、図２（ｂ）に示す第１凹部３ｈ及び第２凹部３ｉとがそれぞれ、ユーザの指等に対して所要の寸法を確保できるようにすることが好適である。【００４４】  一端縁櫛部３は、図２（ａ）の正面方向からの視図で、外周となる縁（外周の縁を形成する面である一端外縁面３ｄ）において、一本の凹状曲線に基づいた湾曲した形状の一端窪み部３ｅを形成している。この一端窪み部３ｅに係る曲率（凹状曲線の曲率）は、一般的な人体の頭部における最も小さな曲率箇所より若干小さめにすることが好適であり、図２（ａ）に示す例では曲率半径を５０ｍｍにしている。なお、一端縁櫛部３の根元側３ｂにおいて、一端外縁面３ｄは、ほぼフラットな面に形成されており、一端縁櫛部３の先端側３ａでは、先端３ｖへ近づくほど細くなるような、外方へ凸の曲線（曲面）になっている。【００４５】  一端縁櫛部３は、上述した一端窪み部３ｅを形成することで、Ｙ軸方向において、一端窪み部３ｅの両側（先端側３ａ及び根元側３ｂ）となる一端外縁面３ｄの箇所が突出した形状となる。それにより、一端外縁面３ｄを人体の頭部の頭皮に突き当てると、一端窪み部３ｅの両側の一端外縁面３ｄの箇所で頭皮に対し二点接触することになり、櫛１の安定した姿勢を確保でき、上述した貫通孔７を目盛りに用いて、頭皮より生える頭髪の概略長さを安定した姿勢の櫛１で測定できるようにしている。【００４６】  さらに、図２（ａ）、図９に示すように、一端縁櫛部３は、先端側３ａにおいて、Ｚ軸方向（幅方向）に貫通する先端貫通孔８を形成している。先端貫通孔８は、櫛本体２の貫通孔７と同様に、楕円であり、その楕円の周囲には、楕円形状のザグリ部８ａを形成している（図９参照）。なお、先端貫通孔８は、その長軸方向をＹ軸方向に対して斜めに配置されており、それにより、先細形状である先端側３ａの外縁が外方へ凸の曲線（曲面）に、先端貫通孔８のザグリ部８ａの開口縁が沿うようにレイアウトされて、楕円形状の先端貫通孔８及びザグリ部８ａを可能な範囲で大きい寸法の開口を確保するようにしている。【００４７】  図２（ｂ）は、一端縁櫛部３を、一端外縁面３ｄから見た状態を示しており、この方向から見た状態で、一端縁櫛部３の形状は左右対称になっている。一端縁櫛部３は、幅方向（Ｚ軸方向に平行な方向）における一方の外周縁３ｆ（櫛本体２の正面側となる第１面２ｃと同じ側の縁）、及び他方の外周縁３ｇ（櫛本体２の背面側となる第２面２ｄと同じ側の縁）における中間箇所３ｃ（先端側３ａ及び根元側３ｂとの間の箇所）に、一本の円弧状の凹状曲線に基づいた全体が湾曲形状の第１凹部３ｈ及び第２凹部３ｉをそれぞれ形成している。なお、各外周縁３ｆ、３ｇは、図２（ｂ）においては「線」で表されるが、図２（ａ）に応じた正面方向からの視図で明らかなように、実際は「面」であり、それゆえ第１凹部３ｈ及び第２凹部３ｉも実際は、なめらかな「曲面」になっている。【００４８】  また、一端縁櫛部３は、根元側３ｂの両方の外周縁３ｆ、３ｇを、ほぼフラットな面にしており、先端側の両方の外周縁３ｆ、３ｇは、先端部へ近づくほど細くなるような、外方へ向かって凸となる湾曲した曲線（曲面）にしている。【００４９】  一方の外周縁３ｆの中間箇所３ｃに形成された第１凹部３ｈは、最も深い箇所を中心に、その中心から近傍の範囲では一端縁櫛部３の中心へ向かって凸となる滑らかな（平滑な）円弧状の凹状曲線（曲面）にしている。なお、第１凹部３ｈを中心にして外周縁３ｆにおける先端側３ａ及び根元側３ｂ寄りの箇所には変曲点を設け、それら変曲点より先端側３ａ及び根元側３ｂへは外方へ向かって��となる滑らかな（平滑な）曲線（曲面）にしている。それにより、第１凹部３ｈは、先端側３ａと滑らかな曲線（曲面）で連なると共に、根元側３ｂへも滑らかな曲線（曲面）で連なっている。このように第１凹部３ｈの曲線（曲面）の形成状況は、他方の外周縁３ｇの第２凹部３ｉでも同様である。【００５０】  第１凹部３ｈ及び第２凹部３ｉを形成する凹状曲線に係る曲率半径Ｒ１は、人の指の中で最も太い親指の平均的な数値に応じた曲率寸法にしており、図２（ｂ）に示す例では、約３０ｍｍ前後にしている。【００５１】  また、第１凹部３ｈ及び第２凹部３ｉの最も深い箇所は、中間箇所３ｃにおいて最も幅が狭い箇所（第３箇所３ｎ）に該当し、この第３箇所所３ｎの幅寸法Ｗ３は、先端側３ａにおいて最も幅が広い第１箇所３ｊの幅寸法Ｗ１より小さくなっており（Ｗ３＜Ｗ１）、また、第３箇所３ｎの幅寸法Ｗ３は、根元側３ｂにおいて幅が広い第２箇所３ｋの幅寸法Ｗ２に対しても小さくなっている（Ｗ３＜Ｗ２）。なお、第２箇所３ｋの幅寸法Ｗ２は、第１箇所３ｊの幅寸法Ｗ１より大きくしている（Ｗ２＞Ｗ１）。このように、第３箇所３ｎの幅寸法Ｗ３を最も小さくすることにより、中間箇所３ｃに形成した第１凹部３ｈ及び第２凹部３ｉが、先端側３ａ及び根元側３ｂに対して十分な深さを確保できるようにしている。【００５２】  図３（ａ）は、図２（ａ）におけるＡ−Ａ線の断面を示し、一端縁櫛部３に隣接して設けられた短櫛歯６′を示している。図３（ａ）に示すように、短櫛歯６′は、Ｘ軸方向に沿った方向から見た場合において左右対称の略クサビ形の先細形状であり、櫛本体２の側の根元部分６ｂ′を幅寸法Ｗ４にしており、この幅寸法Ｗ４は、上述した一端縁櫛部３の根元側３ｂの幅寸法Ｗ２以下になっている。また、短櫛歯６′の先端部分６ａ′は、上述した一端縁櫛部３の中間箇所３ｃに対応した範囲に位置し、先端部分６ａ′の幅寸法Ｗ５は、一端縁櫛部３の第１凹部３ｈ及び第２凹部３ｉにおけるいずれの箇所の幅寸法より小さくして、Ｘ軸方向から見た場合、先端部分６ａ′及び根元部分６ｂ′の外形が、第１凹部３ｈ及び第２凹部３ｉに係る曲線（曲面）より外方へ出ること無く、収まるようにしている。なお、短櫛歯６′の外形が、一端縁櫛部３の第１凹部３ｈ及び第２凹部３ｉに係る曲線に収めることが困難な場合は、外方へ出る箇所を凹ませて、短櫛歯６′にも凹部を形成するようにしてもよい。【００５３】  図３（ｂ）は、図２（ａ）におけるＢ−Ｂ線の断面を示し、櫛歯６を示している。図３（ｂ）に示す櫛歯６は、櫛１における複数の櫛歯６の例であり、複数本の櫛歯６は全て、図３に示す櫛歯６と同様の構成になっている（但し、短櫛歯６′を除く）。櫛歯６もＸ軸方向に沿った方向から見た場合において左右対称の先細形状になっており、Ｙ軸方向に沿って、先細形状の先端６ｖを有する先端側６ａの範囲と、櫛本体２と連なる根元側６ｂの範囲と、これら先端側６ａ及び根元側６ｂの間となる中間箇所６ｃの範囲に区分けできる。櫛歯６の先端６ｖは、上述した一端縁櫛部３の先端３ｖと突出方向で同位置であり、また、櫛歯６の先端側６ａの範囲は一端縁櫛部３の先端側３ａの範囲と位置及び寸法が対応し、櫛歯６の中間箇所６ｃの範囲は一端縁櫛部３の中間箇所６ｃの範囲と位置及び寸法が対応し、櫛歯６の根元側６ｂの範囲は一端縁櫛部３の根元側３ｂにおける中間箇所３ｃ寄りの範囲と位置が対応している（櫛歯６における根元側６ｂの範囲の寸法は、一端縁櫛部３の根元側３ｂの寸法の約１／３になっている）。【００５４】  そして、櫛歯６は、幅方向（Ｚ軸方向）の両方側の外周縁６ｆ、６ｇの中間箇所６ｃにおいて、図３（ｂ）に示す方向から見た場合で、上述した一端縁櫛部３の第１凹部３ｈ及び第２凹部３ｉと対応する箇所に、滑らかな一本の円弧状の凹状曲線に基づいた全体が湾曲形状の第１櫛歯凹部６ｈ及び第２櫛歯凹部６ｉをそれぞれ形成している。これら第１櫛歯凹部６ｈ及び第２櫛歯凹部６ｉの形状は、一端縁櫛部３の第１凹部３ｈ及び第２凹部３ｉと同様な構成で同形状になっている。第１櫛歯凹部６ｈ及び第２櫛歯凹部６ｉの最も深い箇所における凹状曲線に係る曲率半径Ｒ２は、第１凹部３ｈ及び第２凹部３ｉに係る曲率半径Ｒ１と同寸法にしており、それにより第１櫛歯凹部６ｈ及び第２櫛歯凹部６ｉ（櫛歯凹部）は、第１凹部３ｈ及び第２凹部３ｉ（凹部）と同形状で同サイズ（同じ大きさ）の湾曲形状になっている。【００５５】  また、櫛歯６においても、中間箇所６ｃの最も幅が狭い第３箇所６ｎ（第１櫛歯凹部６ｈ及び第２櫛歯凹部６ｉの最も深い箇所）の幅寸法Ｗ８を、先端側６ａにおいて最も幅が広い第１箇所６ｊの幅寸法Ｗ６より小さくしており（Ｗ８＜Ｗ６）、また、第３箇所６ｎの幅寸法Ｗ８は、根元側６ｂの幅が広い第２箇所６ｋの幅寸法Ｗ７に対しても小さい（Ｗ８＜Ｗ７）。なお、第２箇所６ｋの幅寸法Ｗ８は、第１箇所６ｊの幅寸法Ｗ６より大きい（Ｗ７＞Ｗ６）。このように、櫛歯６でも、中間箇所６ｃにおける第３箇所６ｎの幅寸法Ｗ８を最も小さくすることにより、中間箇所６ｃに形成した第１櫛歯凹部６ｈ及び第２櫛歯凹部６ｉが十分な深さを確保できるようにしている。【００５６】  以上のような構成により、櫛１の正面側（櫛本体２の第１面２ｃの側）において、一端縁櫛部３の第１凹部３ｈは、櫛本体２の長手方向に沿った方向で、短櫛歯６′を挟んで近傍に位置する櫛歯６の第１櫛歯凹部６ｈへと連通し、両者はスムーズに連なる構成になっており、同様に、櫛１の背面側（櫛本体２の第２面２ｄの側）においても、一端縁櫛部３の第２凹部３ｉは、短櫛歯６′を挟んで近傍に位置する櫛歯６の第２櫛歯凹部６ｉへと連通し、両者はスムーズに連なる構成になっている。【００５７】  上述した構成の櫛歯６は、図１に示す広ピッチの第１範囲１ａに含まれるもの、及び狭いピッチの第２範囲１ｂに含まれるものと共通であり、そのため、これら第１範囲１ａ及び第２範囲１ｂに含まれる各櫛歯６の第１櫛歯凹部６ｈ同士も、櫛１の正面側（櫛本体２の第１面２ｃの側）において、スムーズに連なった（連通した）構成になっており、櫛１の背面側（櫛本体２の第２面２ｄの側）においても、第１範囲１ａ及び第２範囲１ｂに含まれる各櫛歯６の第２櫛歯凹部６ｉ同士もスムーズに連なった（連通した）構成になっている。【００５８】  図４（ａ）は、櫛１の他端縁櫛部４の要部を示す正面方向からの視図であり、他端縁櫛部４は、上述した図２（ａ）等に示す一端縁櫛部３に対して基本��に左右対称になっている。すなわち、他端縁櫛部４は、先を細く尖らした先細形状であり、櫛本体２の他端側２ｂよりＹ軸方向に沿った方向へ延出し、先細形状の先端４ｖを有する先端側４ａの範囲と、櫛本体２と連なる根元側４ｂの範囲と、中間箇所４ｃの範囲に分けられ、この中間箇所４ｃの他端外縁面４ｄに、湾曲形状の他端窪み部４ｅを形成している。そして、他端縁櫛部４は、先端側４ａにおいて、Ｚ軸方向（幅方向）に貫通する楕円形状の先端貫通孔９を形成しており、この先端貫通孔９は、楕円形状のザグリ部９ａを有する。【００５９】  また、図４（ｂ）は、他端縁櫛部４を、他端外縁面４ｄから見た状態を示しており、この方向から見た場合も、他端縁櫛部４の形状は、上述した一端縁櫛部３と左右対称になっている。すなわち、他端縁櫛部４は、幅方向（Ｚ軸方向に平行な方向）における一方の外周縁４ｆ（櫛本体２の正面側となる第１面２ｃと同じ側の縁）、及び他方の外周縁４ｇ（櫛本体２の背面側となる第２面２ｄと同じ側の縁）における中間箇所４ｃ（先端側４ａ及び根元側４ｂとの間の箇所）に、一方の凹状曲線に基づいた全体が湾曲形状の第１凹部４ｈ及び第２凹部４ｉをそれぞれ形成している（これら第１凹部４ｈ及び第２凹部４ｉは、上述した一端縁櫛部３の第１凹部３ｈ及び第２凹部３ｉと同様の構成になっている）。【００６０】  また、他端縁櫛部４においても、中間箇所４ｃの最も幅が狭い第３箇所４ｎの幅寸法Ｗ３を、先端側４ａの最も幅が広い第１箇所４ｊの幅寸法Ｗ１より小さくしており（Ｗ３＜Ｗ１）、また、第３箇所４ｎの幅寸法Ｗ３は、根元側３ｂにおいて幅が広い第２箇所４ｋの幅寸法Ｗ２に対しても小さくしている（Ｗ３＜Ｗ２）。なお、第２箇所４ｋの幅寸法Ｗ２は、第１箇所４ｊの幅寸法Ｗ１より大きい（Ｗ２＞Ｗ１）。【００６１】  上記のような他端縁櫛部４の構成により、他端縁櫛部４の側においても、櫛１の正面側（櫛本体２の第１面２ｃの側）で、他端縁櫛部４の第１凹部４ｈは、その近傍に位置する各櫛歯６の第１櫛歯凹部６ｈへと連通し、両者はスムーズに連なり、また、櫛１の背面側（櫛本体２の第２面２ｄの側）で、他端縁櫛部４の第２凹部４ｉは、その近傍の櫛歯６の第２櫛歯凹部６ｉへと連通して、両者はスムーズに連なっている。【００６２】  したがって櫛１全体では、一端縁櫛部３から複数の櫛歯６を通じて他端縁櫛部４へ至る全範囲において、櫛１の正面側（櫛本体２の第１面２ｃの側）で、一端縁櫛部３の第１凹部３ｈ、複数の櫛歯６の第１櫛歯凹部６ｈ、及び他端縁櫛部４の第１凹部４ｈが連通し、スムーズに連なっており、櫛１の背面側（櫛本体２の第２面２ｄの側）でも、一端縁櫛部３の第２凹部３ｉ、複数の櫛歯６の第２櫛歯凹部６ｉ、及び他端縁櫛部４の第２凹部４ｉが連通して、スムーズに連なる構成となっている。【００６３】  図５は、第１実施形態に係る櫛１を、他端縁櫛部４と、その他端縁櫛部４の近くの範囲に位置する複数の櫛歯６を、親指Ｆ１で支持するような持ち方をユーザが行った場合を示している。【００６４】  図６（ａ）は、図５に示す状態における他端縁櫛部４を他端外縁面４ｄから見た状態を示しており（図４（ｂ）と同じ方向から見た状態）、櫛１の正面側（櫛本体２の第１面２ｃの��）と同じ側の一方の外周縁４ｆの中間箇所４ｃに形成された第１凹部４ｈに、ユーザの親指Ｆ１が収まった状態になっている。第１凹部４ｈは、Ｙ軸方向において、なだらかな曲線で先端側４ａ及び根元側４ｂと連なっているので、ユーザの親指Ｆ１が他端縁櫛部４の一方の外周縁４ｆに把持のため触れたとき、先端側４ａ又は根元側４ｂのいずれの側からでも、手探りで親指Ｆ１がスムーズに第１凹部４ｈへと案内されて、自然と第１凹部４ｈの中に収まるようになる。【００６５】  また、図６（ｂ）は、図５に示す状態のＣ−Ｃ線における断面を示し、櫛１の正面側（櫛本体２の第１面２ｃの側）と同じ側の一方の外周縁６ｆの中間箇所６ｃに形成された第１櫛歯凹部６ｈに、ユーザの親指Ｆ１が収まった状態になっている。この第１櫛歯凹部６ｈも、Ｙ軸方向において、なだらかな曲線で先端側６ａ及び根元側６ｂと連なっているので、ユーザの親指Ｆ１が櫛歯６の一方の外周縁６ｆに把持のため触れたとき、先端側６ａ又は根元側６ｂのいずれの側からでも、手探りで親指１がスムーズに第１櫛歯凹部６ｈへと案内されて、自然と第１櫛歯凹部６ｈの中に収まるようになる。なお、Ｃ−Ｃ線に係る箇所以外の親指Ｆ１が触れる箇所における櫛歯６と親指Ｆ１の関係は、図６（ｂ）に示す状態と同様になる。【００６６】  また、他端縁櫛部４の第１凹部４ｈ、及びその他端縁櫛部４の隣り合う範囲に位置する複数の櫛歯６の各第１櫛歯凹部６ｈは、同形状で連通するので、一本の指（親指）は横断的に、第１凹部及び複数の第１凹部６ｈで形成される空間に収まる。この状態で、第１凹部４ｈ及び第１櫛歯凹部６ｈは湾曲形状であることから、親指Ｆ１の湾曲した腹の部分は点接触ではなく、面接触となり、従来に比べて親指Ｆ１は広い範囲で櫛１と接触する。そのため、櫛１を支持する際、親指Ｆ１へ係る負担が分散されると共に、櫛１に対するグリップ力も高まり、第１凹部４ｈ及び第１櫛歯凹部６ｈは滑り止めとしても役立つ。また、櫛１の背面側（櫛本体２の第２面２ｄの側）において、ユーザが、櫛歯６の中間箇所６ｃに人差し指Ｆ２を触れるような持ち方をすれば、人差し指Ｆ２も、触れた箇所の各櫛歯６の第２櫛歯凹部６ｉに収まり、面接触で櫛１を支持でき、人差し指Ｆ２に対する適度なグリップ力を確保できると共に、人差し指Ｆ２も湾曲形状の複数の第２櫛歯凹部６ｉと面接触するので、支持に必要な力が分散され、人差し指Ｆ２にかかる負担を低減できる。【００６７】  それゆえ、第１実施形態に係る櫛１では、櫛１を支持する親指Ｆ１、人差し指Ｆ２に力を入れやすくなっており、従来の櫛に比べて、第１実施形態に係る櫛１を用いた作業性は高まっている。なお、図５、図６（ａ）（ｂ）では、他端縁櫛部４の側を把持する場合で説明したが、一端縁櫛部３の側を把持するときでも、上述した内容と同様になり、特に、一端縁櫛部３に隣接する短櫛歯６′は、第１凹部３ｈ及び第１櫛歯凹部６ｈで形成される空間に飛び出ないので、親指が第１凹部３ｈ及び第１櫛歯凹部６ｈに収まることを短櫛歯６′が妨げることはない。【００６８】  図７（ａ）は、第１実施形態に係る櫛１で、フィンガーウェーブというセットを行う場合の把持の仕方を示している。この場合、人差し指Ｆ２、中指Ｆ３、及び薬指Ｆ４は櫛１の正面側（第１面２ｃの側）を支持し、親指Ｆ１及び小指Ｆ５は櫛１の背面側（第２面２ｄの側）を支持することになる。具体的には、正面側（第１面２ｃの側）を支持する人差し指Ｆ２、中指Ｆ３、及び薬指Ｆ４は、それぞれの指先が複数の櫛歯６の一方の外周縁６ｆの第１櫛歯凹部６ｈで形成される空間に収まる。それにより、各指Ｆ２〜Ｆ４には適度なグリップが得られると共に、面接触により各指Ｆ２〜Ｆ４にかかる負担も低減されている。【００６９】  また、背面側（第２面２ｄの側）を支持する親指Ｆ１及び小指Ｆ５は、複数の櫛歯６の他方の外周縁６ｇの第２櫛歯凹部６ｉで形成される空間に収まる。この際、親指Ｆ１は、その指先（指先の腹側の部分）が、第２櫛歯凹部６ｉと広範囲で接して、適度なグリップが得られると共に、親指Ｆ１にかかる負担も低減されるが、小指Ｆ５については、小指Ｆ５の背の側の部分が、第２櫛歯凹部６ｉと接することになる。【００７０】  図７（ｂ）は、フィンガーウェーブを行う場合の小指Ｆ５による櫛１の支持の状況を示している。小指Ｆ５は、背の側の部分を複数の櫛歯６の他方の外周縁６ｇの側に形成された第２櫛歯凹部６ｉに収めた状況になっている。第２櫛歯凹部６ｉは、全体が湾曲形状であることから、小指Ｆ５の背の部分とは広い範囲で面接触した状態となり、それにより櫛１を支持する力が、小指Ｆ５の背の部分における一点に集中することを回避しており、小指Ｆ５の背の部分にかかる負担を低減している。そのため、粘度の高いローションを用いてフィンガーウェーブのセットを櫛１で行う場合、図７（ａ）（ｂ）に示す持ち方で、各指Ｆ１〜Ｆ５に力を入れても、各指Ｆ１〜Ｆ５への負担は従来の櫛に比べて低減されており、特に、指の背側で支持することになる小指Ｆ５については、指の背側が指の腹側に比べて皮膚が弱いことから、その負担低減によるメリットは大きく、さらに、ローション等の付着により皮膚がふやけているときの負担低減のメリットはユーザにとって非常に貢献できるものになっている。【００７１】  図８（ａ）は、第１実施形態に係る櫛１を用いて、頭髪束を掬い上げる作業を行う例を示し、この例では、他端縁櫛部４の側を指で把持し、一端縁櫛部３の方で且つ櫛１の背面側（櫛本体２の第２面２ｄの側）で頭髪束を掬い上げる状況になっているものとする。【００７２】  図８（ｂ）は、一端縁櫛部３における頭髪束の掬い上げ状況を示しており、掬い上げた頭髪束ｈが、図８（ｂ）では上面となる他方の外周縁３ｇの中間箇所３ｃに形成された第２凹部３ｉに収まった状態になる。すなわち、第２凹部３ｉは、Ｙ軸方向において、なだらかな曲線で先端側３ａ及び根元側３ｂと連なっているので、一端縁櫛部３の他方の外周縁３ｇ（図８（ｂ）における上面）で掬い上げられた頭髪束ｈは、なだらか曲面により第２凹部３ｉへと案内されて、自然と第２凹部３ｉの中に収まるようになる。【００７３】  また、図８（ｃ）は、一端縁櫛部３の近傍に位置する各櫛歯６の中の一つによる頭髪束ｈの掬い上げ状況を示している。この櫛歯６においても、図８（ｂ）で示した一端縁櫛部３の場合と同様に、上面となる他方の外周縁６ｇの中間箇所６ｃに形成された第２櫛歯凹部６ｉに、掬い上げた頭髪��ｈが収まった状態になる。このように第１実施形態の櫛１を用いて頭髪束を掬い上げるなどの作業を行うと、掬い上げた頭髪束が一端縁櫛部３の第２凹部３ｉ、及びその近傍の各櫛歯６の第２櫛歯凹部６ｉにより形成される空間に収まるので、従来のように、櫛で掬い上げて頭髪束が先端側より滑り落ちる頻度が減少し、櫛で頭髪束を掬い上げる作業の効率化を図れる。【００７４】  なお、上述した例では、一端縁櫛部３の方における櫛１の背面側で掬い上げ作業を行う場合で説明したが、櫛１の正面側で掬い上げ作業を行う場合も、第１凹部３ｈ及び第１櫛歯凹部６ｈによって同様に、掬い上げた頭髪束が滑り落ちにくくなる。このことは他端縁櫛部４の方で、櫛１の正面側又は背面側のいずれで掬い上げ作業を行っても同様である。【００７５】  図９は、櫛１を頭髪の中に差し込んで、一端縁櫛部３で頭髪束ｈ１と頭髪束ｈ２に振り分けるため（パーティング等のため）、一端縁櫛部３を移動させる作業の状況を示している。この場合、一端縁櫛部３の先端３ｖを頭皮Ｔに突き当てた状態にして、一端縁櫛部３を含む櫛１をＸ軸方向に沿って移動させて、一端縁櫛部３で頭髪束ｈ１と頭髪束ｈ２とに順次振り分けていくことになる。【００７６】  この際、一端縁櫛部３の一方の外周縁３ｆにおいて、先端側３ａには、ザグリ部８ａを有する先端貫通孔８が開口していると共に、中間箇所３ｃでは第１凹部３ｈが形成されているため、一方の外周縁３ｆで振り分けられる一方の頭髪束ｈ１は、ザグリ部８ａ、先端貫通孔８、及び第１凹部３ｈが位置する箇所では、一端縁櫛部３と接触せず、これらの箇所以外で外周縁３ｆと接触する。そのため、従来の先端貫通孔８、ザグリ部８ａ及び第１凹部３ｈの存在しない櫛に比べて、第１実施形態に係る一端縁櫛部３は、頭髪束ｈ１との接触範囲（接触面積）が大幅に減少しており、それにより、振り分け対象の頭髪束ｈ１による接触抵抗が減少し、頭髪の中をスムーズに移動させやすくなっている。【００７７】  上記のことは、一端縁櫛部３の他方の外周縁３ｇでも同様であり、先端側３ａのザグリ部８ａを有する先端貫通孔８、及び中間箇所３ｃにおける第２凹部３ｉにより、頭髪束ｈ２との接触範囲（接触面積）が減少し、それに伴い頭髪束ｈ２との接触抵抗も減少するので、一端縁櫛部３を頭髪の中で移動させやすくなっており、櫛１の操作性、作業性が向上する。【００７８】  なお、第１実施形態に係る櫛１は、上述した形態に限定されるものではなく、様々な変形例が想定できる。例えば、図９に示すような一端縁櫛部３等を頭髪の中に差し込んで櫛１を移動させる作業を想定しない場合などのときは、一端縁櫛部３の先端貫通孔８又は他端縁櫛部４の先端貫通孔９の形成を省略することが可能である。【００７９】  また、図１０は、櫛１の正面図であり、一端縁櫛部３及び他端縁櫛部４で囲まれた複数の櫛歯６の範囲を、図１に示す第１範囲１ａ及び第２範囲１ｂと異なる範囲で分けた例を示し、一端縁櫛部３寄りの一端範囲１ｃ、櫛本体２の中央部分２ｅに応じた中央範囲１ｄ、及び他端縁櫛部４よりの他端範囲１ｅに分けている。上述した例では、全範囲の櫛歯６に、第１櫛歯凹部６ｈ又は第２櫛歯凹部６ｉを形成したが、一つの変形例として、中央部分２ｅ��含まれる櫛歯６には、第１櫛歯凹部６ｈ又は第２櫛歯凹部６ｉのいずれか一方、若しくは両方の形成を省略することが考えられる。これは、中央部分２ｅは従来の櫛と同様の使い勝手を確保できるようにしたことに対応する。【００８０】  一方、櫛１の把持される側が他端縁櫛部４の方に限定される場合、又は、一端縁櫛部３の方は従来と同様の櫛の使い勝手が要求される場合等は、一端範囲１ｃに含まれる櫛歯６について第１櫛歯凹部６ｈ又は第２櫛歯凹部６ｉのいずれか一方、若しくは両方の形成を省略することが想定でき、さらには一端範囲１ｃ及び中央範囲１ｄに含まれる櫛歯６について第１櫛歯凹部６ｈ又は第２櫛歯凹部６ｉのいずれか一方、若しくは両方の形成を省略することが考えられる。【００８１】  同様に、櫛１の把持される側が一端縁櫛部３の方に限定される場合、又は他端端縁櫛部４の方は従来と同様の櫛の使い勝手が要求される場合等は、他端範囲１ｅに含まれる櫛歯６について第１櫛歯凹部６ｈ又は第２櫛歯凹部６ｉのいずれか一方、若しくは両方の形成を省略することが想定でき、さらには他端範囲１ｅ及び中央範囲１ｄに含まれる櫛歯６について第１櫛歯凹部６ｈ又は第２櫛歯凹部６ｉのいずれか一方、若しくは両方の形成を省略することが考えられる。【００８２】  また、図７（ａ）（ｂ）に示すように、一端縁櫛部３及び他端縁櫛部４には触れずに、櫛歯６で櫛１の支持を行う場合などを主要な目的にするときは、一端縁櫛部３に第１凹部３ｈ又は第２凹部３ｉのいずれか一方、又は両方の形成を省略することが想定できると共に、他端縁櫛部４でも同様に、第１凹部４ｈ又は第２凹部４ｉのいずれか一方、又は両方の形成を省略することが想定できる（一端縁櫛部３及び他端縁櫛部４の第１凹部３ｈ、４ｈ、第２凹部３ｉ、４ｉの省略が可能。一端縁櫛部３及び他端縁櫛部４の一端窪み部３ｅ及び他端窪み部４ｅの省略も可能）。【００８３】  さらに、上述した一端範囲１ｃ、又は一端範囲１ｃ及び中央範囲１ｄに含まれる櫛歯６の第１櫛歯凹部６ｈ、第２櫛歯凹部６ｉの省略と関連付けて、一端縁櫛部３における第１凹部３ｈ又は第２凹部３ｉのいずれか一方、若しくは両方の形成も省略することも想定できる（なお、一端窪み部３ｅの形成も省略可能である）。さらにまた、上述した他端範囲１ｅ、又は淡々範囲１ｅ及び中央範囲１ｄに含まれる櫛歯６の第１櫛歯凹部６ｈ又は第２櫛歯凹部６ｉのいずれか一方、若しくは両方の形成と省略と関連付けて、他端縁櫛部４における第１凹部４ｈ又は第２凹部４ｉのいずれか一方、若しくは両方の形成も省略することが想定できる（なお、一端窪み部４ｅの形成も省略可能である）。【００８４】  また、上述した例では、全範囲の櫛歯６の第１櫛歯凹部６ｈ及び第２櫛歯凹部６ｉの最も深い箇所を中心とした曲率半径Ｒ２を同一にしたが、曲率半径Ｒ２を各櫛歯６が設けられる位置に応じて変化させることも可能である。【００８５】  例えば、一端縁櫛部３寄りの箇所に位置する櫛歯６は、第１櫛歯凹部６ｈ及び第２櫛歯凹部６ｉの曲率半径Ｒ２の寸法を、一端縁櫛部３の第１凹部３ｈ及び第２凹部３ｉの曲率半径Ｒ１と同じにするが、図１０に示す一端範囲１ｃの中で中央範囲１ｄへ近づくにつれて曲率半径Ｒ２の寸法を徐々に小さ��していき、中央範囲１ｄに入ると曲率半径Ｒ２が「０」、すなわち、第１櫛歯凹部６ｈ及び第２櫛歯凹部６ｉを形成せず、また、他端範囲１ｅに入ると、曲率半径Ｒ２を発生させて、他端縁櫛部４へ近づくにつれて曲率半径Ｒ２を増加させていき、他端縁櫛部４寄りの箇所では再度、曲率半径Ｒ２の寸法を曲率半径Ｒ１と同じ寸法にすること等が考えられる。【００８６】  このようにすることで、各櫛歯６の第１櫛歯凹部６ｈ及び第２櫛歯凹部６ｉの深さ寸法が、櫛本体２の一端側２ａから中央部分２ｅを経て他端側２ｂへと至るにつれ、深い状況から徐々に浅くなっていき、中央範囲１ｄで一旦、櫛歯凹部が消滅するが、再度、櫛歯凹部が発生して深さが増していくというように、なだらかに変化するので、各櫛歯６の櫛歯凹部による空間に段差等が生じること無く、指の収まり具合が良好になる。【００８７】  なお、図１０に示す一端範囲１ｃ、中央範囲１ｄ、及び他端範囲１ｅの割合としては、複数の櫛歯６の全範囲を「１」とすれば、各範囲１ｃ〜１ｅを均等にして、それぞれ「１／３」にすることも可能であり、また、各範囲１ｃ〜１ｅを不均等にして、例えば、一端範囲１ｃ及び他端範囲１ｅを「２／５」、中央範囲１ｄを「１／５」にすることも可能であり、これらの各範囲１ｃ〜１ｅの割合は、櫛１の仕様・目的等に応じて適宜設定可能となる。【００８８】  図１１（ａ）（ｂ）は別の変形例を示し、図１１（ａ）は、変形例の一端縁櫛部１３を示し、幅方向（Ｚ軸方向）における一方の外周縁１３ｆの中間箇所１３ｃには湾曲形状の第１凹部１３ｈを形成するが、他方の外周縁１３ｇの中間箇所１３ｃは、第２凹部を形成することなく、従来の櫛と同様、先端側１３ａ及び根元側１３ｂとフラットな面で連なるようにしている。このような変形例の一端縁櫛部１３は、ユーザの指（例えば、親指）による把持が一方の外周縁１３ｆの側のみを考慮すれば良い場合（人差し指は通常の把持で良い場合）、又は一方の外周縁１３ｆの側で頭髪束の掬い上げ作業を行うことに限定される場合などで、他方の外周縁１３ｇでは従来の櫛と同様の使い勝手が要求されるときなどに好適な変形例になる。なお、図１１（ａ）に係る変形例は、他端縁櫛部についても同様に適用可能である。【００８９】  図１１（ｂ）は、変形例の櫛歯１６を示し、こちらの変形例の櫛歯１６は上述した変形例の一端縁櫛部１３と組み合わされるものであり、図１１（ａ）に示す一端縁櫛部１３と同様に、幅方向（Ｚ軸方向）における一方の外周縁１６ｆの中間箇所１６ｃに第１櫛歯凹部１６ｈを形成するが、他方の外周縁１６ｇは、中間箇所１６ｃは、従来の櫛と同様、先端側１３ａ及び根元側１３ｂとフラットな面で連なるようにしている。このような変形例の櫛歯１６も、ユーザの指（例えば、親指）による把持が一方の外周縁１６ｆの側のみを考慮すれば良い場合（人差し指は通常の把持で良い場合）、又は一方の外周縁１６ｆの側で頭髪束の掬い上げ作業を行うことに限定される場合などで、他方の外周縁１６ｇでは従来の櫛と同様の使い勝手が要求されるときなどに好適な変形例となる。【００９０】  なお、上述した図１１（ａ）（ｂ）では、一端縁櫛部１３の一方の外周縁１３ｆ、及び櫛歯１６の一方の外周縁１６ｆのみに���１凹部１３ｈ、及び第１櫛歯凹部１６ｈをそれぞれ形成する場合で説明したが、左右を反対にして、一端縁櫛部１３の他方の外周縁１３ｇ、及び櫛歯１６の他方の外周縁１６ｇのみに第２凹部、及び第２櫛歯凹部をそれぞれ形成することも勿論可能である。また、図１１（ａ）（ｂ）に係る各変形例は、上述した図１０に基づき説明した各変形例と組み合わせることも可能である。【００９１】  図１２（ａ）（ｂ）は、また別の変形例を示し、図１２（ａ）の変形例に係る一端縁櫛部２３は、中間箇所２３ｃの両方の外周縁２３ｆ、２３ｇに形成された第１、２凹部２３ｈ、２３ｉが、根元側２３ｂと連なる箇所に、角となる尖ったエッジ２３ｒ、２３ｓを形成したことが特徴になっている。このようなエッジ２３ｒ、２３ｓを形成するため、第１、２凹部２３ｈ、２３ｉは、根元側２３ｂ寄りの箇所には変曲点を設けずに、最も深い箇所を中心に、その近傍の範囲で凸となる曲線（曲面）を、そのまま根元側２３ｂのフラット気味の外周縁２３ｆ、２３ｇへと連なる構成にしている。このようなエッジ２３ｒ、２３ｓを形成すると、丁度、図６（ａ）に示すように、第１、２凹部２３ｈ、２３ｉのいずれかにユーザの指（例えば、親指）が収まると、これらのエッジ２３ｒ、２３ｓのいずれかがユーザの指に引っかかり、一段とグリップ力が高まり、滑り止め機能も更に向上する。なお、図１２（ａ）に係る変形例は、他端縁櫛部にも同様に適用可能である。【００９２】  図１２（ｂ）は、変形例の櫛歯２６を示し、こちらの変形例の櫛歯２６も図１２（ａ）に示す変形例の一端縁櫛部２３と同様に、中間箇所２６ｃの両方の外周縁２６ｆ、２６ｇに形成された第１、２櫛歯凹部２６ｈ、２６ｉが、根元側２６ｂと連なる箇所に、角となる尖ったエッジ２６ｒ、２６ｓを形成したことが特徴になっている。このような変形例の櫛歯２６においても、これらのエッジ２６ｒ、２６ｓがそれぞれ、ユーザの指のグリップ力を高め、櫛歯における滑り止め機能を更に向上させることになる。なお、図１２（ａ）に示す変形例は、図１２（ｂ）に示す変形例と組み合わせることなく単独で用いても良く、同様に、図１２（ｂ）に示す変形例も単独で用いてもよく、このように単独で用いた場合は、部分的にでもグリップ力を高めることができる。【００９３】  また、上述した図１２（ａ）（ｂ）では、一端縁櫛部２３の両方の外周縁２３ｆ、２３ｇ及び櫛歯２６の両方の外周縁２６ｆ、２６ｇに、エッジ２３ｒ、２３ｓ、及びエッジ２６ｒ、２６ｓを形成するようにしたが、いずれか一方の外周縁だけにエッジを形成することも勿論可能である。また、図１２（ａ）（ｂ）に係る各変形例は、上述した図１０又は図１１（ａ）（ｂ）に係る各変形例と組み合わせることも可能である。【００９４】  図１３（ａ）（ｂ）は更に別の変形例を示し、図１３（ａ）の変形例に係る一端縁櫛部３３は、中間箇所３３ｃの両方の外周縁３３ｆ、３３ｇに形成された第１、２凹部３３ｈ、３３ｉが、先端側３３ａと連なる箇所に、角となる尖ったエッジ３３ｔ、３３ｕを形成したことが特徴になっている。このようなエッジ３３ｒ、３３ｓを形成するため、第１、２凹部３３ｈ、３３ｉは、先端側３３ａ寄りの箇所には変曲点を設けずに、最も深��箇所を中心に、その近傍の範囲で凸となる曲線（曲面）を、そのまま先端側３３ａの外周縁３３ｆ、３３ｇへと連なる構成にしている。このようなエッジ３３ｔ、３３ｕを形成すると、丁度、図８（ｂ）に示すように、第１、２凹部３３ｈ、３３ｉのいずれかに、掬い上げた頭髪束ｈが収まると、これらのエッジ３３ｔ、３３ｕが、掬い上げた頭髪束ｈに引っかかり、掬い上げた頭髪束ｈが一端縁櫛部３３から滑り落ちる度合いを一段と減少させられる。なお、図１３（ａ）に係る変形例は、他端縁櫛部にも同様に適用可能である。【００９５】  図１３（ｂ）は、変形例の櫛歯３６を示し、こちらの変形例の櫛歯３６も図１３（ａ）に示す変形例の一端縁櫛部３３と同様に、中間箇所３６ｃの両方の外周縁３６ｆ、３６ｇに形成された第１、２櫛歯凹部３６ｈ、３６ｉが、先端側３６ａと連なる箇所に、角となる尖ったエッジ３６ｔ、３６ｕを形成したことが特徴になっている。このような変形例の櫛歯３６においても、これらのエッジ３６ｔ、３６ｕにより、それぞれ、掬い上げた頭髪束ｈ（図８（ｃ）参照）が櫛歯３６から滑り落ちる度合いを一段と減少させられる。なお、図１３（ａ）に示す変形例は、図１３（ｂ）に示す変形例と組み合わせることなく単独で用いても良く、同様に、図１３（ｂ）に示す変形例も単独で用いてもよく、このように単独で用いた場合は、部分的にでも、掬い上げた頭髪束が滑り落ちる度合いを一段と抑制するのに役立てられる。【００９６】  また、上述した図１３（ａ）（ｂ）では、一端縁櫛部３３の両方の外周縁３３ｆ、３３ｇ及び櫛歯３６の両方の外周縁３６ｆ、３６ｇに、エッジ３３ｔ、３３ｕ、及びエッジ３６ｔ、３６ｕを形成するようにしたが、いずれか一方の外周縁だけにエッジを形成することも勿論可能である。また、図１３（ａ）（ｂ）に係る各変形例は、上述した図１０又は図１１（ａ）（ｂ）に係る各変形例と組み合わせることも可能である。【００９７】  図１４（ａ）（ｂ）は更に別の変形例を示し、図１４（ａ）の変形例に係る一端縁櫛部４３は、図１２（ａ）の変形例に係る一端縁櫛部２３のエッジ２３ｒ、２３ｓに係る構成と、図１３（ａ）の変形例に係る一端縁櫛部３３のエッジ３３ｔ、３３ｕに係る構成とを組み合わせたものになっている。すなわち、一転縁櫛部４３は、中間箇所４３ｃの両方の外周縁４３ｆ、４３ｇに形成された第１、２凹部４３ｈ、４３ｉが、根元側４３ｂと連なる箇所にエッジ４３ｒ、４３ｓを形成すると共に、第１、２凹部４３ｈ、４３ｉが、先端側４３ａと連なる箇所にエッジ４３ｔ、４３ｕを形成している。一端縁櫛部４３は、根元側４３ｂのエッジ４３ｒ、４３ｓにより滑り止め機能を発揮でき、また、先端側４３ａのエッジ４３ｔ、４３ｕにより掬い上げた頭髪束の滑り落ちを減少させられる。なお、図１４（ａ）に係る変形例は、他端縁櫛部にも同様に適用可能である。【００９８】  図１４（ｂ）は、変形例の櫛歯４６を示し、こちらの変形例の櫛歯４６も図１２（ｂ）の変形例に係る櫛歯２６のエッジ２６ｒ、２６ｓに係る構成と、図１３（ｂ）の変形例に係る櫛歯３６のエッジ３６ｔ、３６ｕに係る構成とを組み合わせたものになっている。すなわち、櫛歯４６は、中間箇所４６ｃの両方の外周縁４６ｆ、４６ｇに形成された第１、２櫛歯凹部４６ｈ、４６ｉが、根元側４６ｂと連なる箇所にエッジ４６ｒ、４６ｓを形成すると共に、第１、２櫛歯凹部４６ｈ、４６ｉが、先端側４６ａと連なる箇所にエッジ４６ｔ、４６ｕを形成している。櫛歯４６は、根元側４６ｂのエッジ４６ｒ、４６ｓにより滑り止め機能を発揮でき、また、先端側４６ａのエッジ４６ｔ、４６ｕにより掬い上げた頭髪束の滑り落ちを減少させられる。なお、図１４（ａ）に示す変形例も、図１４（ｂ）に示す変形例と組み合わせることなく単独で用いても良く、同様に、図１４（ｂ）に示す変形例も単独で用いてもよい。【００９９】  また、上述した図１４（ａ）（ｂ）では、一端縁櫛部４３の両方の外周縁４３ｆ、４３ｇ及び櫛歯４６の両方の外周縁４６ｆ、４６ｇに、エッジ４３ｒ〜４３ｕ、及びエッジ４６ｒ〜４６ｕを形成するようにしたが、いずれか一方の外周縁だけにエッジを形成することも勿論可能である。また、図１４（ａ）（ｂ）に係る各変形例も、上述した図１０又は図１１（ａ）（ｂ）に係る各変形例と組み合わせることも可能である。
【実施例２】
【０１００】  図１５（ａ）は、本発明の第２実施形態に係る櫛５０の全体を概略的に示す正面図である。第２実施形態に係る櫛５０は、棒状の把持部５１を他端縁櫛部５４より突出させた構成になっており、このような把持部５１を有するタイプの櫛５０でも、第１実施形態と同様に、櫛本体５２の一端側５２ａに設けた一端縁櫛部５３、及び櫛本体５２の他端側５２ｂに設けた他端縁櫛部５４の一方の外周縁の中間箇所に第１凹部５３ｈ、５４ｈを形成すると共に、他方の外周縁の中間箇所に第２凹部を形成し、これら一端縁櫛部５３及び他端縁櫛部５４に囲まれた複数の櫛歯５６においても、両方の外周縁に第１、２櫛歯凹部をそれぞれ形成している。なお、櫛５０は、一端縁櫛部５３の先端側に先端貫通孔５８を形成すると共に、他端縁櫛部５４の先端側にも先端貫通孔５９を形成している。【０１０１】  このように第２実施形態に係る櫛５０は、棒状の把持部５１を突出させていても、基本的に第１実施形態と同様な構成であるため、一端縁櫛部５３の方を中心に把持するような使い方をしても、一端縁櫛部５３の第１凹部等と、その一端縁櫛部５３近傍の各櫛歯５６に形成された第１櫛歯凹部等により、滑り止め機能を発揮できると共に、掬い上げた頭髪束の滑り落ちを抑制でき、また、他端縁櫛部５４の方を中心に把持するような使い方をした場合でも、他端縁櫛部５４の第１凹部等と、その他端縁櫛部５４近傍の各櫛歯５６に形成された第１櫛歯凹部等により、こちらも滑り止め機能を発揮できると共に、掬い上げた頭髪束の滑り落ちを抑制できる。なお、第２実施形態に係る櫛５０においても、第１実施形態で説明した各種変形例の適用が可能である。【０１０２】  図１５（ｂ）は、第２実施形態に係る変形例の櫛６０の概要を示す正面図である。この変形例に係る櫛６０は、棒状ではなく板状の把持部６５を他端縁櫛部６４より突出させたものになっている。このように板状の把持部６５を突出させた場合でも、櫛６０は、第１実施形態と同様の構成を維持している。すなわち、櫛６０は、櫛本体６２の一端側６２ａに設けた一端縁櫛部６３、及び櫛本体６２の他端側６２ｂに設けた他端縁櫛部６４の一方の外周縁の中間箇所に第１凹部６３ｈ、６４ｈを形成すると共に、他方の外周縁の中間箇所に第２凹部を形成し、これら一端縁櫛部６３及び他端縁櫛部６４に囲まれた複数の櫛歯６６においても、両方の外周縁に第１、２櫛歯凹部をそれぞれ形成している。なお、櫛６０は、一端縁櫛部６３の先端側に先端貫通孔６８を形成すると共に、他端縁櫛部６４の先端側にも先端貫通孔６９を形成している。なお、この変形例に係る櫛６０においても、第１実施形態で説明した各種変形例の適用が可能である。
【産業上の利用可能性】
【０１０３】  本発明は、櫛を把持する指の負担を軽減すると共に、グリップ力を高め、さらには櫛で掬い上げた頭髪束が櫛より滑り落ちるのを防止するようにしたことに対して好適に利用可能である。
【符号の説明】
【０１０４】  １、５０、６０  櫛  ２  櫛本体  ３、１３、２３、３３、４３、５３、６３  一端縁櫛部  ３ｈ、１３ｈ、２３ｈ、３３ｈ、４３ｈ、５３ｈ、６３ｈ  第１凹部  ３ｉ、２３ｉ、３３ｉ、４３ｉ、  第２凹部  ４、１４、２４、３４、４４、５４、６４  他端縁櫛部  ４ｈ、５４ｈ、６３ｈ  第１凹部  ４ｉ  第２凹部  ６′  短櫛歯  ６、１６、２６、３６、４６、５６、６６  櫛歯  ６ｈ、１６ｈ、２６ｈ、３６ｈ、４６ｈ  第１櫛歯凹部  ６ｉ、２６ｉ、３６ｉ、４６ｉ  第２櫛歯凹部  ７  貫通孔  ８、９、５８、５９  先端貫通孔
【図１】
2017098664.tif 000003
【図２】
2017098664.tif 000004
【図３】
2017098664.tif 000005
【図４】
2017098664.tif 000006
【図５】
2017098664.tif 000007
【図６】
2017098664.tif 000008
【図７】
2017098664.tif 000009
【図８】
2017098664.tif 000010
【図９】
2017098664.tif 000011
【図１０】
2017098664.tif 000012
【図１１】
2017098664.tif 000013
【図１２】
2017098664.tif 000014
【図１３】
2017098664.tif 000015
【図１４】
2017098664.tif 000016
【図１５】
2017098664.tif 000017
【手続補正書】
【提出日】平成29年10月27日(2017.10.27)
【手続補正１】
【補正対象書類名】特許請求の範囲
【補正対象項目名】全文
【補正方法】変更
【補正の内容】
【特許請求の範囲】
【請求項１】
櫛本体と、前記櫛本体から突出した複数本の櫛歯と、前記櫛本体の長手方向の一端側から前記櫛歯と同方向に突出する縁櫛部とを備える櫛において、
前記縁櫛部は、
先を尖らせた先細形状にしてあり、
正面から見た場合で外周となる縁の外縁面における先端側と根元側との間の中間箇所に窪み部を形成することで、前記外縁面が、前記中間箇所で凹になり、前記先端側及び前記根元側で凸になるようにしてあり、
前記先端側に、前記縁櫛部の幅方向に貫通する先端貫通孔が形成してあることを特徴とする櫛。
【請求項２】
前記中間箇所の前記縁櫛部の突出方向に沿った範囲は、前記先端側の範囲より広くしてある請求項１に記載の櫛。
【請求項３】
前記中間箇所の前記縁櫛部の突出方向に沿った範囲は、前記根元側の範囲より広くしてある請求項１又は請求項２に記載の櫛。
【請求項４】
前記先端貫通孔は、楕円形状であり、楕円形状に係る長軸方向が、前記縁櫛部の突出方向に対して斜めにしてある請求項１乃至請求項３のいずれか１項に記載の櫛。
【請求項５】
前記縁櫛部は、
前記縁櫛部の幅方向の少なくとも一方側の外周縁における前記中間箇所に、凹部が形成してあり、
前記凹部が形成してある側の外周縁の根元側はフラットな面にしてある請求項１乃至請求項４のいずれか１項に記載の櫛。
【請求項６】
前記複数本の櫛歯の中で、少なくとも前記縁櫛部の側に設けられた範囲に含まれる各櫛歯のそれぞれには、櫛歯の幅方向で前記縁櫛部の凹部と対応する箇所に、櫛歯凹部が形成してあり、
前記凹部及び前記櫛歯凹部は、前記櫛本体の長手方向に沿った方向で連通するようにしてある請求項５に記載の櫛。
【手続補正２】
【補正対象書類名】明細書
【補正対象項目名】００４３
【補正方法】変更
【補正の内容】
【００４３】
図１及び図２（ａ）（ｂ）に示すように、一端縁櫛部３は、先を細く尖らした先細形状であり、櫛本体２に対して直交する方向（Ｙ軸方向に沿った方向）へ櫛本体２の一端側２ａより突出し、櫛歯６を囲って保護している。一端縁櫛部３は、正面方向からの視図である図２（ａ）において、Ｙ軸方向に沿った方向で、先細形状の先端３ｖを有する先端側３ａの範囲と、櫛本体２と連なる根元側３ｂの範囲と、これら先端側３ａ及び根元側３ｂの間となる中間箇所３ｃの範囲に区分けすることができる。これらの範囲の比率は、設計仕様により様々に設定可能であるが、一端縁櫛部３のＹ軸方向に沿った全長を「１」とした場合、先端側３ａ及び根元側をそれぞれ「約０．３」、中間箇所３ｃを「約０．４」として、中間箇所３ｃを他の二つの範囲より少し広めにして、図２（ａ）に示す一端窪み部３ｅと、図２（ｂ）に示す第１凹部３ｈ及び第２凹部３ｉとがそれぞれ、ユーザの指等に対して所要の寸法を確保できるようにすることが好適である。
【国際調査報告】
2017098664.tif 000018
2017098664.tif 000019
2017098664.tif 000020
2017098664.tif 000021